(57)【特許請求の範囲】
【請求項１】
第１の映像素材の圧縮映像データの画像タイプを識別する第１の画像タイプ識別手段と、
第２の映像素材の圧縮映像データの画像タイプを識別する第２の画像タイプ識別手段と、
上記第１の映像素材に設定されたカットアウト点から時間的に前方探索して上記第１の画像タイプ識別手段で識別された最初のＩピクチャーを復号開始点とし、上記カットアウト点から時間的に後方探索して上記第１の画像タイプ識別手段で識別された最初のＩピクチャー若しくはＰピクチャーを復号終了点として、上記第１の映像素材の圧縮映像データを復号する第１の復号手段と、
上記第２の映像素材に設定されたカットイン点から時間的に前方探索して上記第２の画像タイプ識別手段で識別された最初のＩピクチャーを復号開始点とし、上記カットイン点から時間的に後方探索して上記第２の画像タイプ識別手段で識別された最初のＩピクチャー若しくはＰピクチャーを復号終了点として、上記第２の映像素材の圧縮映像データを復号する第２の復号手段と、
上記カットアウト点及び上記カットイン点を接続点として、上記第１の復号手段により復号された第１の映像データと上記第２の復号手段により復号された第２の映像データとを接続する接続手段と、
上記接続手段により接続された映像データを再符号化して再圧縮映像データを生成する再符号化手段とを有する
ことを特徴とする編集装置。
【請求項２】
上記第１の映像素材の圧縮映像データ及び上記第２の映像素材の圧縮映像データと、上記再圧縮映像データとを切り換えて出力することにより、編集された編集圧縮映像データを生成する編集手段を更に有する
ことを特徴とする請求項１記載の編集装置。
【請求項３】
再符号化手段により生成された上記編集圧縮映像データを、記録媒体に記録する記録手段を更に有する
ことを特徴とする請求項１記載の編集装置。
【請求項４】
上記再符号化手段は、上記接続手段で接続された映像データを、上記第１の映像素材の圧縮映像データのピクチャー配列に対応させて再符号化を行うものとし、
上記第２の復号手段は、上記カットイン点から時間的に後方探索して、上記第２の画像タイプ識別手段で識別された最初のＩピクチャーの前までの映像範囲を、上記再符号化手段によって上記第１の映像素材の圧縮映像データのピクチャー配列に対応させて再符号化できるように上記復号終了点を移動した
ことを特徴とする請求項１記載の編集装置。
【請求項５】
第１の映像素材の圧縮映像データの画像タイプを識別する第１の画像タイプ識別工程と、
第２の映像素材の圧縮映像データの画像タイプを識別する第２の画像タイプ識別工程と、
上記第１の映像素材に設定されたカットアウト点から時間的に前方探索して上記第１の画像タイプ識別工程で識別された最初のＩピクチャーを復号開始点とし、上記カットアウト点から時間的に後方探索して上記第１の画像タイプ識別工程で識別された最初のＩピクチャー若しくはＰピクチャーを復号終了点として、上記第１の映像素材の圧縮映像データを復号する第１の復号工程と、
上記第２の映像素材に設定されたカットイン点から時間的に前方探索して上記第２の画像タイプ識別工程で識別された最初のＩピクチャーを復号開始点とし、上記カットイン点から時間的に後方探索して上記第２の画像タイプ識別工程で識別された最初のＩピクチャー若しくはＰピクチャーを復号終了点として、上記第２の映像素材の圧縮映像データを復号する第２の復号工程と、
上記カットアウト点及び上記カットイン点を接続点として、上記第１の復号工程により復号された第１の映像データと上記第２の復号工程により復号された第２の映像データとを接続する接続工程と、
上記接続工程により接続された映像データを再符号化して再圧縮映像データを生成する再符号化工程とを有する
ことを特徴とする編集方法。
【発明の詳細な説明】
【０００１】
【発明の属する技術分野】
この発明は映像素材の編集装置と編集方法に関する。詳しくはＭＰＥＧのようなフレーム間予測によって圧縮されたディジタル映像信号などの映像素材を複数使用して編集を行うとき、編集区間での映像素材の伸長および再圧縮処理区間をできるだけ短くして、編集に要する時間の短縮と、編集に伴う画質劣化を防止できるようにした編集装置と編集方法に関する。
【０００２】
【従来の技術】
映像素材を編集する編集装置にあっては、複数例えば２つの映像素材を適当なところで継いだり、あるいは一方の映像素材の一部区間を切り取ったりする編集がしばしば行われる。
【０００３】
【発明が解決しようとする課題】
最近の映像素材はデータが圧縮されていることが多い。例えばＭＰＥＧのようなフレーム間予測を使用した圧縮映像信号が使用される機会が増えている。そのため、圧縮された映像信号を映像素材として編集装置に提供される場合が多くなってきた。
【０００４】
このようにフレーム間予測などによって圧縮された映像信号の映像素材同士を編集する場合には、編集対象の映像素材のうちカットイン側の映像素材に対してはカットイン以降の映像素材が元の圧縮されていない状態に一旦伸長され、その状態で編集作業を行い、その後再度圧縮して編集後の映像素材を形成するようにしている。
【０００５】
例えば図５ａ，ｂに示すように２つの映像素材Ａ，Ｂを用意し、映像素材Ａに関しては点ｐ（カットアウト点）までを使用し、他方の映像素材Ｂにあっては点ｑ（カットイン点）から使用して、同図ｃに示す映像素材Ｃとなるような編集を想定する。
【０００６】
この場合には、同図ｄのように一方の映像素材Ａにあっては少なくとも編集点ｐを含む所定のエリアに対してデータの伸長処理が施される。また他方の映像素材Ｂにあっては同図ｅのように編集点ｑを含む直前のエリアから後の全てのデータに対して伸長処理が施される。そして、編集点ｐ，ｑの前後ではこれら伸長された映像素材を用いて継ぎ処理（素材ＡとＢを用いた再圧縮）が行われ、それ以降は伸長された映像素材Ｂを再圧縮することによって同図ｃのような映像素材Ｃを得るようにしている。
【０００７】
これは次のような理由による。
ＭＰＥＧのようなフレーム間予測によって圧縮された映像信号には周知のようにＩピクチャー、 Ｐピクチャー、 Ｂピクチャーの３種類の画像タイプが存在する。
Ｉピクチャー（Intra Picture：フレーム内符号化画像）はそのフレームの情報だけから符号化された画面で、フレーム間予測を使わずに生成される。
Ｐピクチャー（Predictive Picture：フレーム間順方向予測符号化画像）はそのフレームの情報とそのフレームより時間的に１つ前のフレームの情報により生成される。
Ｂピクチャー（Bidirectionally predictive Picture：双方向予測符号画像）はそのフレームの情報とそのフレームより時間的に前後のフレームの情報に基づいて生成される。
【０００８】
ＰピクチャーやＢピクチャーはそれらの信号の圧縮生成に際して時間的に１つ前のフレームの情報あるいは時間的に前後のフレームの情報が使用されるが、ピクチャーの配列、つまり画像タイプおよび画像タイプの画像シーケンス（ＧＯＰ）を無視して単純に切り貼りした場合、この継ぎ目においては、他のフレーム画像を参照して伸長するＰピクチャーやＢピクチャーの伸長がうまくできない場合があり、画質が劣化してしまう。
【０００９】
そのため、従来の方法では、編集対象の素材のうち編集後に必要な部分のすべての素材を元の圧縮されていない状態に一旦伸長して編集作業を行い、そして再度上述した画像タイプとなるような圧縮作業を行っている。
【００１０】
このように編集に必要な部分のすべての素材は、映像素材Ｂを元の圧縮されていない状態に一旦伸長して編集作業を行い、再度圧縮作業を行う必要があるため、編集作業には非常に多くの時間を必要とする。
【００１１】
また、編集点以降のピクチャー再構成においても、映像素材Ｂを伸長し、そして再圧縮するものであるから、再圧縮された画像データには量子化誤差が発生して映像全体の画質が劣化してしまうことになる。
【００１２】
本発明は以上の点を考慮してなされたもので、フレーム間予測による圧縮された映像信号を短時間でしかも画質の劣化を最小限に抑えながら編集することができる編集装置と編集方法を提案しようとするものである。
【００１３】
【課題を解決するための手段】
上述した課題を解決するために本発明の編集装置においては、第１の映像素材の圧縮映像データの画像タイプを識別する第１の画像タイプ識別手段と、第２の映像素材の圧縮映像データの画像タイプを識別する第２の画像タイプ識別手段と、上記第１の映像素材に設定されたカットアウト点から時間的に前方探索して上記第１の画像タイプ識別手段で識別された最初のＩピクチャーを復号開始点とし、上記カットアウト点から時間的に後方探索して上記第１の画像タイプ識別手段で識別された最初のＩピクチャー若しくはＰピクチャーを復号終了点として、上記第１の映像素材の圧縮映像データを復号する第１の復号手段と、上記第２の映像素材に設定されたカットイン点から時間的に前方探索して上記第２の画像タイプ識別手段で識別された最初のＩピクチャーを復号開始点とし、上記カットイン点から時間的に後方探索して上記第２の画像タイプ識別手段で識別された最初のＩピクチャー若しくはＰピクチャーを復号終了点として、上記第２の映像素材の圧縮映像データを復号する第２の復号手段と、上記カットアウト点及び上記カットイン点を接続点として、上記第１の復号手段により復号された第１の映像データと上記第２の復号手段により復号された第２の映像データとを接続する接続手段と、上記接続手段により接続された映像データを再符号化して再圧縮映像データを生成する再符号化手段とを有するものである。また、本発明の編集方法は、第１の映像素材の圧縮映像データの画像タイプを識別する第１の画像タイプ識別工程と、第２の映像素材の圧縮映像データの画像タイプを識別する第２の画像タイプ識別工程と、上記第１の映像素材に設定されたカットアウト点から時間的に前方探索して上記第１の画像タイプ識別工程で識別された最初のＩピクチャーを復号開始点とし、上記カットアウト点から時間的に後方探索して上記第１の画像タイプ識別工程で識別された最初のＩピクチャー若しくはＰピクチャーを復号終了点として、上記第１の映像素材の圧縮映像データを復号する第１の復号工程と、上記第２の映像素材に設定されたカットイン点から時間的に前方探索して上記第２の画像タイプ識別工程で識別された最初のＩピクチャーを復号開始点とし、上記カットイン点から時間的に後方探索して上記第２の画像タイプ識別工程で識別された最初のＩピクチャー若しくはＰピクチャーを復号終了点として、上記第２の映像素材の圧縮映像データを復号する第２の復号工程と、上記カットアウト点及び上記カットイン点を接続点として、上記第１の復号工程により復号された第１の映像データと上記第２の復号工程により復号された第２の映像データとを接続する接続工程と、上記接続工程により接続された映像データを再符号化して再圧縮映像データを生成する再符号化工程とを有するものである。
【００１４】
この発明では、カットアウト側となる映像素材Ａにあっては、伸長可能な最小画像タイプの圧縮データに対してＩピクチャー、ＰピクチャーおよびＢピクチャーを使用して伸長処理（ベースバンド処理）が行われる。カットイン側の映像素材Ｂに対しては、カットイン点を含む少なくとも１画像シーケンス（ＧＯＰ）内の圧縮データに対して同様な伸長処理が行われる。カットイン側ではカットインを含む１ＧＯＰの画像データをそのまま編集後の画像データとして再利用する必要があるからである。
【００１５】
そして、伸長データＡ′とＢ′を用いて再圧縮される。図２の例ではカットアウト点Ａoutの２フレーム前より再圧縮データが使用され、カットイン点Ｂinになると伸長データＡ′とＢ′を用いて画像タイプにしたがって再圧縮処理される。この編集区間での画像タイプの配列は例えば映像素材Ａのピクチャー配列に従う。そして、映像素材ＢのＩピクチャーが位置するフレームからは映像素材Ｂの圧縮データそのものが使用される。
【００１６】
これにより、伸長、圧縮処理されるフレーム数が最小となるため、編集処理時間が短縮される。また必要最小限の領域だけ画像データの伸長処理、再圧縮処理を行っているので、編集点から離れた素材については圧縮されたままの映像素材Ａ，Ｂがそのまま使用される。したがって伸長、圧縮処理に伴う画質の劣化を最小限にとどめることができる。
【００１７】
【発明の実施の形態】
続いて、この発明に係る編集装置の一実施形態について図面を参照しながら詳細に説明する。
【００１８】
図１に示す編集装置１０では２つの映像素材（編集素材）Ａ，Ｂを対象とする。同図において、データ再生装置１１には、映像素材Ａが予め例えばＭＰＥＧなどの手法を用いたフレーム間予測によって圧縮された状態で記録されている。同じくデータ再生装置１４にも、映像素材Ｂが予めＭＰＥＧなどの手法を用いたフレーム間予測によって圧縮された状態で記録されている。
【００１９】
再生された映像素材Ａ，Ｂはそれぞれデータ伸長器１３，１６と画像タイプ判別器１２，１５とに送られ、画像タイプ識別器１２，１５では再生された映像素材Ａ，Ｂのうち編集点を含む画像シーケンス（１ＧＯＰ）におけるピクチャー構成（Ｉ／Ｐ／Ｂピクチャー）が自動的に判別される。ピクチャーの種類である画像タイプを判別するようにしたのは、圧縮された画像データから元の映像信号に正しく戻すには画像タイプの異なる別のピクチャーを利用する場合があるからである。
【００２０】
判別された画像タイプの情報はＣＰＵ２０に送られ、編集時の再圧縮情報として利用される。データ伸長器１３，１６では編集時に必要とされる最小限の画像シーケンス内におけるピクチャーが元の非圧縮映像信号の状態となるように、圧縮データの伸長処理が行われ、これら伸長画像データと、圧縮されたままの映像素材Ａ，Ｂがスイッチャー１７に送られる。
【００２１】
スイッチャー１７ではＣＰＵ２０からの制御信号（図示はしない）に基づいてデータ圧縮器１８を介してデータ記録装置１９に送るべきピクチャー（伸長データ）と、直接データ記録装置１９に送るべきピクチャー（圧縮データ）の選択が行われる。
【００２２】
そのため、ＣＰＵ２０では、映像素材Ａの編集点（カットアウト点）Ａoutを含む圧縮シーケンス内の圧縮データに関する画像タイプの構成と、映像素材Ｂの編集点（カットイン点）Ｂinを含む圧縮シーケンス内の圧縮データに関する画像タイプの構成の解析がそれぞれ行われる。そして、伸長器１３，１６での伸長開始点や伸長終了点を始めとしてスイッチャー１７での画像データの切替点、データ圧縮器１８での圧縮開始点および圧縮終了点などの編集制御情報が生成されて、伸長器１３，１６、スイッチャー１７、データ圧縮器１８などに送られて、対応する編集処理動作が実行される。以下にその内容を説明する。
【００２３】
先ず、データ再生装置１１ではカットアウト点Ａoutを含む所定フレーム数の圧縮データが再生され、再生された圧縮データが伸長器１３に転送され、編集処理に必要な所定フレーム数分の伸長データＡ′がスイッチャー１７に送られる。同様に映像素材Ａと映像素材Ｂとの継ぎがうまくいくようにタイミングを見計らって他方のデータ再生装置１４からもカットイン点Ｂinを含む所定フレーム数分の圧縮データが再生されて、これが伸長器１６に転送され、そして編集処理に必要な伸長画像データがスイッチャー１７に転送される。
【００２４】
スイッチャー１７で選択された伸長データＡ′，Ｂ′がデータ圧縮器１８に転送されて一時的に保存される。データ圧縮器１８では ＣＰＵ２０で決定した再圧縮の開始点から再圧縮の終了点までの間、伸長データＡ′およびＡ′とＢ′を用いて画像タイプにしたがった再圧縮処理が行われ、再圧縮処理された画像データは最終的にはデータ記録装置１９で記録される。
【００２５】
再圧縮するときのピクチャーの配列はこの例では映像素材Ａのピクチャー配列にしたがう。したがって再圧縮処理された圧縮データを使用するフレームまでは映像素材Ａのピクチャー配列となり、それ以降は映像素材Ｂのピクチャー配列と同じになる。この結果、編集区間では１ＧＯＰが完全なるフレーム数では構成されないことが起こり得る。
【００２６】
最後に、編集領域以外の圧縮データに関しては編集処理が行われずにそのままスイッチャー１７をスルーしてデータ記録装置１９に転送されて記録される。
【００２７】
続いて、具体的な編集処理について図２以下を参照して説明する。図３は編集区間での詳細を示し、図４は編集処理を実現するフローチャートの一例である。映像素材Ａ，Ｂとしては、図２ａのように１ＧＯＰが１５フレームで構成され、このＧＯＰのピクチャー配列、つまり画像タイプの配列が「BBIBBPBBPBBPBBP」のように、規則性をもったフレーム間予測による圧縮を行った圧縮データであるものとする。
【００２８】
図２ｂはデータ再生装置内のフレーム間予測による圧縮された映像素材Ａであって、「BBIBBPBBPBBPBBP」の規則性をもつこの１５フレームを１つのまとまり（１ＧＯＰ）とし、その各ＧＯＰをGA0〜GA4とする。さらに各フレームに対してA000,A001,〜,A014,A100〜A414の番号をつける。
【００２９】
同様に同図ｃはデータ再生装置１４から再生されたフレーム間予測による圧縮された映像素材Ｂであって、同じく規則性をもつ１５フレームを１つのまとまりとし、それぞれのＧＯＰをGB0〜GB4とする。さらに各フレームに対してB000,B001,〜,B014,B100〜B414の番号をつける。
【００３０】
ここで、圧縮され、符号化されたデータの配列は、ＭＰＥＧの場合には同図Ａとは異なり、「IBBPBBPBBPBBPBB」のようなピクチャー配列である。しかし以下では説明の便宜上、同図ａのようにピクチャーが配列されて記録されているものとする。
【００３１】
映像素材Ａに対してはグループＧＡ３の適当なフレームがカットアウト点Ａoutとして、他方の映像素材ＢではグループＧＢ２がカットイン点Ｂinとして選ばれている。したがってこれら映像素材Ａ，Ｂのフレーム構成（ピクチャー構成）は同図ｄおよびｆとなり、編集後のピクチャー構成は同図ｅのようになる。
【００３２】
図３は編集区間での詳細を示すもので、編集に使用するフレーム数については後述するとして、映像素材Ａ，Ｂをそれぞれ伸長したデータ（ベースバンド成分）がＡ′であり、Ｂ′である。
【００３３】
さて、図４を参照してこの発明による編集処理の一例を説明すると、ＣＰＵ２０からの指示にしたがい、データ再生装置１１から映像素材Ａのカットアウト点Aoutより少し前のフレームから圧縮データが順に画像タイプ識別部１２に転送される。画像タイプ識別部１２では、映像素材Ａのカットアウト点Aoutを含むフレーム付近での圧縮データの画像タイプ（Ｉ，Ｂ，Ｐピクチャー）が識別され（ステップ３１）、その情報がＣＰＵ２０に送られる。これによって、 ＣＰＵ２０はカットアウト点Ａout付近での画像タイプの構成が図３ａのような構成（シーケンス）であることを判別できる。
【００３４】
そして、カットアウト点Ａoutから時間的に前方向に検索（前方検索）して最初のＩピクチャーＡ３０２を伸長開始点と定める。そして今度は時間的に後方向に検索（後方検索）してその間に存在するＢピクチャー（場合によってはＰピクチャー）を伸長するために使用されるピクチャー（Ｉピクチャー若しくはＰピクチャー）を探し、そのピクチャーを伸長終了点とする（ステップ３２）。
【００３５】
図３の例ではＩピクチャーＡ３０２とこれに続く最初のＰピクチャーＡ３０５を用いれば、その間に存在する２つのＢピクチャーを正しく伸長できるので、この例ではＡ３０５のＰピクチャーが伸長終了点となる。
【００３６】
編集に使用するピクチャーが定まると、それらに対する伸長処理が行われる（ステップ３３）。この伸長処理は周知のように、ＩピクチャーＡ３０２が伸長されて伸長ＩピクチャーＡ′３０２となされる（図３参照）。伸長されたＩピクチャーＡ′３０２とＰピクチャーＡ３０５から、伸長されたＰピクチャーＡ′３０５が生成される。続いて、伸長されたＩピクチャーＡ′３０２とＰピクチャーＡ′３０５から、ＢピクチャーＡ３０３とＡ３０４が、これらの画像データ（Ａ３０３，Ａ３０４）を使用しながら伸長されてＡ′３０３（Ａ′３０４は図示しない）となされる。
【００３７】
これら伸長データＡ′のうちカットアウト点Ａout までがデータ圧縮部１８に供給されて一旦保存される（ステップ３４）。ここで、カットアウト点Ａout以降の伸長データを編集用の画像データとしては使用しないのは、このカットアウト点Ａout以降は映像素材Ｂの情報に切り換える必要があるためである。
【００３８】
同様の処理が映像素材Ｂに対しても行われる（ステップ３５〜３８）。データ再生装置１４から映像素材Ｂのカットイン点Ｂinより少し前のフレームから数えて少なくとも１ＧＯＰ以上の圧縮データが順に画像タイプ識別部１５に転送される。
【００３９】
画像タイプ識別部１５では、映像素材Ｂのカットイン点Ｂinを含むフレーム付近での圧縮データの画像タイプ（Ｉ，Ｂ，Ｐピクチャー）が識別され（ステップ３５）、その情報がＣＰＵ２０に送られる。これによって、 ＣＰＵ２０はカットイン点Ｂin付近での画像タイプの構成が図３ｃのような構成（シーケンス）であることを判別できる。
【００４０】
そして、カットイン点Ｂinから前方検索して最初のＩピクチャーＢ２０２を伸長開始点と定め、後方検索してその間に存在する複数のピクチャーをそれぞれ伸長するために使用されるピクチャー（Ｉピクチャー若しくはＰピクチャー）を探し、そのピクチャーを伸長終了点とする（ステップ３６）。
【００４１】
すなわち、カットイン点Ｂin以降は映像素材Ｂを継ぐために、映像素材Ｂのピクチャー配列で切れ目のよい最小ピクチャー区間を求める必要がある。図３ｃを参照すると、カットイン点Ｂin付近のピクチャーを伸長するためには、カットイン点Ｂin以降の最初のＩピクチャーＢ３０２まで伸長する必要がある。
【００４２】
図３ｃの例ではＩピクチャーＢ３０２よりもさらに３フレームあとのピクチャーＢ３０５まで使用しなければならない（１ＧＯＰ＋３フレーム）。これは、図３ｂからも明らかなようにカットイン点ＢinからＩピクチャーＢ３０２までは、映像素材Ａのピクチャー配列に従うからである。このようなことから、図３ｃの例ではＩピクチャーＢ２０２からＰピクチャーＢ３０５まで伸長処理が施される（ステップ３７）。
【００４３】
伸長されたデータＢ′のうちカットイン点Ｂinから必要なフレーム数だけ、この例ではＢピクチャーＢ３０３までデータ圧縮部１８に転送され、そして保存される（ステップ３８）。
【００４４】
データ圧縮部１８ではこれら伸長データＡ′，Ｂ′に基づいて画像データの再圧縮処理が行われる（ステップ３９）。編集区間のピクチャー配列が映像素材Ａのピクチャー配列となるように設定されているときの再圧縮処理例を次に説明する。
（１）伸長されたＩピクチャーＡ′３０２を利用して再圧縮される（Ａ３０２′）。
（２）伸長されたＢピクチャーＢ′２０９とＩピクチャーＡ３０２′からＰピクチャーＢ２０９′が算出される。
（３）ＩピクチャーＡ３０２′、ＰピクチャーＢ２０９′およびＢピクチャーＡ′３０３を使用して新しいＢピクチャーＡ３０３′が算出される。
（４）ＩピクチャーＡ３０２′、ＰピクチャーＢ２０９′およびＢピクチャーＢ′２０８を使用して新しいＢピクチャーＢ２０８′が算出される。以上の処理で編集点を含む４フレーム構成のピクチャー（Ｉ、Ｂ、Ｂ、Ｐピクチャー）が得られる。
（５）これ以降のピクチャーに関しても同様な処理が行われる。ただし、３フレーム後のＰピクチャーＢ２１２′は直前のＰピクチャーＢ２０９′に基づいて生成される。つまりＩピクチャーの代わりにＰピクチャーが使用される。その後のＰピクチャーに関しても同じような処理が行われて再圧縮されたピクチャーが順次生成される。
（６）この再圧縮処理を順次行うと、ＩピクチャーＢ３０２の１つ前に位置するＢピクチャーＢ３０１′は、２フレーム後のＰピクチャーＢ３０３′などを使用して生成される。しかし、ＢピクチャーＢ３０１′以降は映像素材Ｂそのものが使用される関係でＢピクチャーＢ′３０２とＢ′３０３は再圧縮データとしては使用されない。編集点Ａout，Ｂinが１ＧＯＰ内のどのフレームにあろーとも上述した再圧縮処理は変わらない。ただし、フレーム位置によって伸長するそれぞれのフレーム数は若干変動する。
【００４５】
再圧縮された画像データ（Ａ３０２′〜Ｂ３０１′までの１１フレーム）はデータ記録部１９で編集後の圧縮データとして記録され、その前後は元の映像素材Ａ，Ｂがそのまま記録される。この編集処理によって映像素材ＡとＢが継ぎ合わせられた新しい映像素材Ｃを得ることができる。
【００４６】
このように映像素材Ａに関しては、図３の例では４フレーム（Ａ３０２〜Ａ３０５）だけ伸長処理が施される。映像素材Ｂに関しては、再圧縮するフレームとして数フレーム分が使用される関係で、１ＧＯＰ＋３フレーム（Ｂ２０２〜Ｂ３０５）だけが伸長処理されて、映像素材ＡとＢを継ぎ合わせることができる。
【００４７】
特にカットイン側の映像素材Ｂはカットイン点Ｂinから後方検索して得られる最初のＩピクチャーからは、元の圧縮データそのものが編集後の画像データとして使用されるようになるため、データ伸長区間を必要最小限のフレーム区間に留めることができる。映像素材Ｂに関しては場合によっては１ＧＯＰ内だけの伸長処理で済む。
【００４８】
その結果、編集時間の大幅な短縮と、伸長、再圧縮処理に伴う画質の劣化を大幅に改善できる。
【００４９】
編集区間のピクチャー配列が映像素材Ａではなく、映像素材Ｂのピクチャー配列となるようにその画像シーケンスが設定されているときはカットイン点以後は映像素材Ｂのピクチャー配列となるように再圧縮処理が行われる。
【００５０】
図１に示した編集装置１０では、映像素材Ａが記録されているデータ再生装置１１、映像素材Ｂが記録されているデータ再生装置１４、編集後のデータが記録されているデータ記録装置１９の３つのデータ記録再生装置で構成されているが、ハードディスクドライブなどのランダムアクセスが可能な記録再生装置を用いれば、それらは１つに統合することができる。この場合には、単に論理的なデータのつながりを管理すればよく、編集点の処理を行うだけで短時間での編集作業が可能になる。
【００５１】
【発明の効果】
以上説明したように、この発明では編集点付近の画像データのみその画像タイプを判別しながら伸長することによって最小の画像タイプのシーケンス内だけで編集作業を行い、それ以外の区間における画像データについては圧縮データのまま使用するようにしたものである。
【００５２】
その結果、再圧縮処理区間が短くなるため編集処理時間が短縮される。また必要最小限の領域だけデータの伸長処理および再圧縮処理を行っているので、編集点から離れた素材に付いては圧縮されたままの映像素材がそのまま使用される。これによって伸長、圧縮処理に伴う画質の劣化を最小限にとどめることができる。
【００５３】
したがって、本発明によれば、フレーム間予測による圧縮された映像信号を短時間で、しかも画質の劣化を最小限に抑えながら編集処理を実現できる特徴を有する。
【図面の簡単な説明】
【図１】この発明に係る編集装置の一実施形態を示す要部の系統図である。
【図２】編集動作の説明図である。
【図３】編集動作の説明図である。
【図４】編集処理の一例を示すフローチャートである。
【図５】従来の編集処理の説明図である。
【符号の説明】
１０・・・編集装置、１１，１４・・・データ再生装置、１２，１５・・・画像タイプ識別部、１３，１６・・・伸長器、１７・・・スイッチャー、１８・・・データ圧縮器、１９・・・データ記録装置
【図１】
0003755206.tif 000002
【図２】
0003755206.tif 000003
【図３】
0003755206.tif 000004
【図４】
0003755206.tif 000005
【図５】
0003755206.tif 000006